(57)【特許請求の範囲】
【請求項１】
調湿空間の空気の湿度を調整する調湿装置であって、
吸湿性液体に空気を通すことにより、調湿空間の空気の湿度を調整する処理機と、
前記調湿空間の外部に配置され、前記処理機による処理に用いた吸湿性液体を再生する再生機と、
前記調湿空間の換気を行うための換気口を経由するように配設され、前記処理機から前記再生機に吸湿性液体を送る吸湿液管路と、
前記吸湿液管路を通じて前記再生機に向かう吸湿性液体に、前記換気口を通じて調湿空間から排出される空気を通すことにより、前記吸湿性液体の再生を行う排気利用再生部と、
を備える調湿装置。
【請求項２】
前記排気利用再生部は、
前記処理機側から延びる前記吸湿液管路と接続され、前記吸湿液管路から前記換気口に吸湿性液体を出す吸湿性液体供給部と、
前記吸湿液管路から出された吸湿性液体を入れる液槽であって、前記再生機側に延びる前記吸湿液管路が接続された液槽と、
を備える請求項１に記載の調湿装置。
【請求項３】
前記排気利用再生部は、前記吸湿性液体供給部と前記液槽との間に配置された充填材を備える請求項２に記載の調湿装置。
【請求項４】
前記充填材は、伝熱性材料からなる請求項２または３に記載の調湿装置。
【請求項５】
前記排気利用再生部は、前記液槽内の吸湿性液体の一部を吸い上げて、前記吸湿性液体供給部に供給するための管を備える請求項２〜４のいずれかに記載の調湿装置。
【発明の詳細な説明】
【技術分野】
【０００１】
本発明は、吸湿性液体を用いて調湿を行う調湿装置に関する。
【背景技術】
【０００２】
従来から、特許文献１、特許文献２等に記載されているように、例えば、塩化リチウム等の吸湿性液体を用いて調湿を行う調湿装置が知られていた。吸湿性液体を用いた調湿装置は、調湿空間から空気を取り込み、取り込んだ空気の除湿または加湿を行って調湿空間に戻す処理を行う処理機と、処理機にて用いた吸湿性液体を再生する再生機を有する。
【０００３】
溶液濃度の高い吸湿性液体は温度が下がると水分を吸収し、溶液濃度の低い吸湿性液体は温度が上がると水分が脱離する。調湿装置ではこの性質を利用して、処理機および再生機に供給する吸湿性液体の温度を調節することにより、調湿および吸湿性液体の再生を行う。ここで、吸湿性液体の再生とは、調湿を行うことによって濃度の変化した吸湿性液体の濃度を、調湿に用いる前の状態に戻すことをいう。例えば、除湿の場合には、溶液濃度の高い吸湿性液体を冷却し、冷却した吸湿性液体に空気を通すことにより、吸湿性液体によって空気中の水分を吸収する。この処理によって吸湿性液体の溶液濃度は低くなる。溶液濃度が低い吸湿性液体では十分な除湿を行えないので、吸湿性液体から水分を脱離することによって、溶液濃度の高い吸湿性液体に戻す。なお、加湿の場合は、逆に、吸湿性液体の溶液濃度が高くなるので、吸湿性液体に水分を吸収させることによって溶液濃度の低い吸湿性液体に戻す。
【特許文献１】特開平１１−３７５１４号公報
【特許文献２】特開２００５−２１４５９５号公報
【発明の開示】
【発明が解決しようとする課題】
【０００４】
上記したように吸湿性液体を用いた調湿装置では、再生機によって吸湿性液体の再生を行なっていた。再生機は、吸湿性液体の温度を制御して吸湿性液体の再生を行うために、熱源を用いる。例えば、除湿処理によって水分を吸収した吸湿性液体から水分を脱離させる際には、吸湿性液体を加熱して、水分が脱離しやすいようにする。
【０００５】
このように再生機においてもエネルギーを用いており、調湿装置のエネルギー利用効率は、再生機での処理に必要なエネルギー量にも依存する。ここで、エネルギーの利用効率とは、調湿装置全体で使用したエネルギーの総和に対して、除湿あるいは加湿することができた空気量の割合である。
【０００６】
本発明は、再生機での処理に必要なエネルギー量を低減した調湿装置を提供することを目的とする。
【課題を解決するための手段】
【０００７】
本発明の調湿装置は、調湿空間の空気の湿度を調整する調湿装置であって、吸湿性液体に空気を通すことにより、調湿空間の空気の湿度を調整する処理機と、前記処理機による処理に用いた吸湿性液体を再生する再生機と、前記調湿空間の換気を行うための換気口を経由するように配設され、前記処理機から前記再生機に吸湿性液体を送る吸湿液管路と、前記吸湿液管路を通じて前記再生機に向かう吸湿性液体に、前記換気口を通じて調湿空間から排出される空気を通すことにより、前記吸湿性液体の再生を行う排気利用再生部とを備える。
【０００８】
この構成により、調湿空間から排出される空気を利用して吸湿性液体を再生することができる。すなわち、調湿空間の加湿を行う場合には、再生機に向かう吸湿性液体は濃縮されており（水分をあまり含んでおらず）、調湿空間から排気される空気は湿っているので、空気中の水分を取り込んで吸湿性液体を再生することができる。また、調湿空間を除湿する場合には、逆に、調湿空間から排気される乾燥した空気中に吸湿性液体の水分を逃がすことにより吸湿性液体を再生できる。このように調湿空間からの排気を利用して再生処理を行うことにより再生機での再生処理に必要なエネルギー量を低減し、エネルギーの利用効率を高めることができる。
【０００９】
本発明の調湿装置において、前記排気利用再生部は、前記処理機側から延びる前記吸湿液管路と接続され、前記吸湿液管路から前記換気口に吸湿性液体を出す吸湿性液体供給部と、前記吸湿液管路から出された吸湿性液体を入れる液槽であって、前記再生機側に延びる前記吸湿液管路が接続された液槽とを備えてもよい。
【００１０】
このように吸湿性液体供給部から吸湿性液体を出して換気口の空気に晒すことにより、吸湿性液体に換気口を通じて排気される空気を通すことができる。
【００１１】
本発明の調湿装置において、前記排気利用再生部は、前記吸湿性液体供給部と前記液槽との間に配置された充填材を備えてもよい。
【００１２】
これにより、吸湿性液体が液槽外に飛び散る可能性を低減できると共に、吸湿性液体が液槽に到達するまでの時間を長くして空気との接触時間を増やし、再生処理の効率を高めることができる。
【００１３】
本発明の調湿装置は、前記充填材として、伝熱性材料からなる充填材を用いてもよい。
【００１４】
この構成により、吸湿性液体と空気との熱交換を行い、吸湿性液体の再生を促進することができる。例えば、除湿動作を行う場合には、吸湿性液体は冷却され、温度が低下している。伝熱性材料からなる充填材によって吸湿性液体と空気との熱交換を行うことにより、吸湿性液体の温度が高くなるので、吸湿性液体に含まれた水分が脱離しやすくなる。逆に、加湿動作を行う場合には、吸湿性液体は加熱され、温度が上昇している。伝熱性材料からなる充填材によって吸湿性液体と外気との熱交換を行うことにより、吸湿性液体の温度が低くなるので、吸湿性液体は水分を吸収しやすくなる。なお、夏は高温多湿、冬は低温乾燥という日本の気候では、除湿運転を行う際には外気は高温であり、加湿運転を行う際には外気は低温である場合が多いので、吸湿性液体と外気との温度差が大きく、効率の高い熱交換を行うことができる。
【００１５】
本発明の調湿装置において、前記排気利用再生部は、前記液槽内の吸湿性液体の一部を吸い上げて、前記吸湿性液体供給部に供給するための管を備えてもよい。
【００１６】
この構成により、液槽内の吸湿性液体の一部を排気利用再生部内で循環させることにより、換気口から排出される空気によって再生できる割合を増やすことができる。
【発明の効果】
【００１７】
本発明によれば、調湿空間からの排出される空気を利用して吸湿性液体を再生することにより、再生機での再生処理に必要なエネルギー量を低減できるという効果を有する。
【発明を実施するための最良の形態】
【００１８】
以下、本発明の実施の形態の調湿装置について図面を参照しながら説明する。
図１は、実施の形態の調湿装置１の構成を示す図である。最初に、図１を参照して調湿装置１の基本的な構成について説明する。
【００１９】
調湿装置１は、調湿空間（室内）の空気を取り込んで、取り込んだ空気を吸湿性液体Ｌに通すことにより調湿を行う処理機１０と、処理機１０で調湿処理を行うために吸湿性液体Ｌの温度を制御するヒートポンプ２０と、処理機１０での調湿処理に用いた吸湿性液体Ｌの再生を行う再生機３０とを有する。本実施の形態では、吸湿性液体Ｌとして、塩化リチウム（ＬｉＣｌ）を用いる。なお、吸湿性液体としては、塩化リチウムに限らず、食塩水などの潮解性を有する塩の溶液や、グリセリン、エチレングリコール、プロピレングリコールなどの吸湿性の高い多価アルコール、その他の吸湿性を有する安価な液体を用いてもよい。
【００２０】
処理機１０は、室内の空気の調湿を行う室内機であり、再生機３０は外気との間で水分の授受を行うことにより吸湿性液体Ｌを再生する室外機である。図１では、一の処理機１０に対して一の再生機３０が接続された例を示しているが、複数の処理機１０に対して一の再生機３０を接続する構成としてもよい。例えば、集合住宅や大型スーパー等に調湿装置１を設置する場合には、各部屋あるいは各フロアに処理機１０を設置し、各処理機１０と接続された一の再生機３０を外部に設置する態様とすることもできる。
【００２１】
処理機１０と再生機３０は、第１の吸湿液管路５０および第２の吸湿液管路５１によって接続されている。第１の吸湿液管路５０は、処理機１０から再生機３０へ吸湿性液体Ｌを送るための管路であり、第２の吸湿液管路５１は、再生機３０から処理機１０へ吸湿性液体Ｌを送るための管路である。第１の吸湿液管路５０、第２の吸湿液管路５１を用いて、処理機１０と再生機３０との間で吸湿性液体Ｌを循環させることにより、処理機１０にて用いた吸湿性液体Ｌを再生機３０にて再生し、処理機１０に戻すことができる。
【００２２】
本実施の形態において、第１の吸湿液管路５０は、調湿空間を換気するための換気口７０を経由するように配設されており、換気口７０を通じて調湿空間から排出される空気を用いて吸湿性液体の再生を行う排気利用再生部６０を有しているが、この点については後述する。
【００２３】
処理機１０は、吸湿性液体Ｌに空気を通して調湿処理を行う空気処理部１１と、吸湿性液体Ｌを入れる液槽１４とを有する。空気処理部１１は、吸湿性液体Ｌを下に向かって噴射する複数のノズル１２と、ノズル１２と液槽１４との間に設けられた充填材１３によって構成されている。充填材１３は、吸湿性液体Ｌと空気との接触面積を大きくすると共に、吸湿性液体Ｌが飛び散らないようにする目的で設けられている。なお、充填材としては、浸水性の濾材を用いてもよいし、銅製、アルミ製あるいはステンレス製の伝熱性フィンを用いてもよい。
【００２４】
また、処理機１０は、液槽１４内の吸湿性液体Ｌを複数のノズル１２に供給するための管１５を有している。管１５にはポンプ１６が取り付けられており、液槽１４内の吸湿性液体Ｌを吸い上げる。また、この管１５には、ヒートポンプ２０の第１の熱交換器２１が設けられており、第１の熱交換器２１によって吸湿性液体Ｌを加熱または冷却する。吸湿性液体Ｌを加熱するか冷却するかは、処理機１０によって加湿するか除湿を行うかによる。すなわち、処理機１０が加湿を行う場合には、吸湿性液体Ｌに含まれた水分を脱離させ、空気中に含ませるために吸湿性液体Ｌを加熱する。逆に、処理機１０が除湿を行う場合には、空気中の水分を吸湿性液体Ｌに吸収させやすくするために吸湿性液体Ｌを冷却する。
【００２５】
液槽１４内の吸湿性液体Ｌを再生機３０に送るための第１の吸湿液管路５０は、液槽１４から吸湿性液体Ｌを吸い上げるための管１５に三方バルブ１７を介して接続されている。三方バルブ１７は、処理機１０の空気処理部１１に送る吸湿性液体Ｌの量と第１の吸湿液管路５０を通じて再生機３０に送る吸湿性液体Ｌの量を制御する。本実施の形態では、三方バルブ１７は、（空気処理部１１へ送る吸湿性液体Ｌの量）：（再生機３０に送る吸湿性液体Ｌの量）が、８：２から９：１の割合になるように制御する。
【００２６】
ヒートポンプ２０の第２の熱交換器２２は、第１の吸湿液管路５０に設けられており、再生機３０に供給される吸湿性液体Ｌを冷却または加熱する。ここでヒートポンプ２０の構成について説明する。ヒートポンプ２０は、第１の熱交換器２１と、第２の熱交換器２２と、圧縮機２３と、膨張弁２４と、これらをつなぐ冷媒管２５とを備えている。ヒートポンプ２０は、冷媒の流れを逆転させることにより、第１の熱交換器２１を蒸発器、あるいは、凝縮器として機能させることができる。第２の熱交換器２２は、第１の熱交換器２１とは逆の処理を行う。
【００２７】
次に、再生機３０について説明する。再生機３０は、吸湿性液体Ｌに空気を通して再生処理を行う第１の再生処理部３１および第２の再生処理部３４と、吸湿性液体Ｌを入れる液槽３７を有する。第１の再生処理部３１は、吸湿性液体Ｌを下に向かって噴射する複数のノズル３２ａ，３２ｂと、ノズル３２ａ，３２ｂの下に設けられた充填材３３によって構成されている。第２の再生処理部３４も同様に、吸湿性液体Ｌを下に向かって噴射する複数のノズル３５と、ノズル３５の下に設けられた充填材３６によって構成されている。
【００２８】
再生機３０の液槽３７は、吸湿性液体Ｌの液面より低い仕切り４０によって仕切られ、第１の槽３８と第２の槽３９が形成されている。仕切り４０の高さは、設計により適宜設定することができるが、本実施の形態では、液面の高さの８０％の高さである。第２の槽３９に第２の吸湿液管路５１が接続されており、再生機３０によって再生された吸湿性液体Ｌは、第２の槽３９から処理機１０に戻される。
【００２９】
第１の再生処理部３１は、第１の吸湿液管路５０から供給された吸湿性液体Ｌをノズル３２ａから下に向かって噴射することにより、吸湿性液体Ｌの再生処理を行う。第１の再生処理部３１にて再生処理された吸湿性液体Ｌは、第１の槽３８に入る。第１の槽３８は、管４１を介して第１の吸湿液管路５０に接続されている。第１の槽３８内の吸湿性液体Ｌの一部は、管４１を介して第１の吸湿液管路５０に供給され、第２の熱交換器２２を通じて第１の再生処理部３１に再び供給される。このように第１の槽３８内の吸湿性液体Ｌを循環させることにより、第１の再生処理部３１によって吸湿性液体Ｌの再生処理を繰り返し行う。
【００３０】
第１の槽３８と第２の槽３９の仕切り４０は液面より低いので、処理機１０から供給された吸湿性液体Ｌが第１の槽３８に入ると、第１の槽３８内の吸湿性液体Ｌは第２の槽３９に流れ込む。
【００３１】
再生機３０は、第２の槽３９内の吸湿性液体Ｌをノズル３２ｂあるいはノズル３５に供給するための管４２を有している。再生機３０は、管４２に設けられた三方バブル４７によって、吸湿性液体Ｌの供給先を制御することができる。三方バルブ４７は、ノズル３２ｂとノズル３５のいずれか一方に吸湿性液体Ｌを供給するように切り替えてもよいし、ノズル３２ｂとノズル３５に供給する吸湿性液体Ｌの量を変えてもよい。本実施の形態では、三方バルブ４７は、除湿運転時にはノズル３５へ吸湿性液体Ｌを供給し、加湿運転時にはノズル３２ｂへ吸湿性液体Ｌを供給する。
【００３２】
管４２にはポンプ４３が取り付けられており、第２の槽３９内の吸湿性液体Ｌを吸い上げる。また、この管４２には、加熱源４４が取り付けられており、第２の槽３９から吸い上げた吸湿性液体Ｌを加熱する。第２の再生処理部３４は、第２の槽３９から吸い上げた吸湿性液体Ｌを再生処理する。第２の再生処理部３４にて再生処理された吸湿性液体Ｌは、再び第２の槽３９に入る。
【００３３】
また、再生機３０は、第２の槽３９に給水を行う給水管４５を有する。給水管４５上には、バルブ４６が設けられており、バルブ４６によって給水の制御を行う。
【００３４】
第２の槽３９の吸湿性液体Ｌは、第２の吸湿液管路５１を通じて処理機１０に戻る。再生機３０から処理機１０に戻る吸湿性液体Ｌの量は、バルブ５３によって調整される。本実施の形態では、バルブ５３は、液槽３７内の吸湿性液体Ｌの液面の高さが一定になるように、処理機１０へ戻す吸湿性液体Ｌの量を制御する。
【００３５】
調湿装置１は、第１の吸湿液管路５０と第２の吸湿液管路５１との間で熱交換を行う熱交換器５４を有している。この熱交換器５４は、第１の吸湿液管路５０を流れる吸湿性液体Ｌと第２の吸湿液管路５１を流れる吸湿性液体Ｌの温度差を低減し、ヒートポンプ２０の汲み上げ温度差の低減に寄与する。
【００３６】
図２は、第１の吸湿液管路５０の配設例を示す図である。本実施の形態では、処理機１０から再生機３０に吸湿性液体Ｌを送るための第１の吸湿液管路５０は、調湿空間の換気を行う換気口７０を経由するように配設されている。吸湿液配管５０は配管径が比較的小さいので、耐震建築に於ける天井裏空間の容積でも十分に収容することが可能である。それぞれの換気口７０には、調湿空間から排出される空気を利用して吸湿性液体Ｌの再生を行う排気利用再生部６０を有する。なお、換気口７０は、調湿空間の空気を強制的に排気するためのファンを有していてもよいし、有していなくてもよい。
【００３７】
図３は、排気利用再生部６０の構成を示す断面図である。排気利用再生部６０は、空調空間と外部とを仕切る壁７１に設けられた換気口７０に設けられる。排気利用再生部６０は、処理機１０側から延びる第１の吸湿液管路５０と接続され、吸湿液管路から換気口７０に吸湿性液体Ｌを出す吸湿性液体供給部６１を有する。本実施の形態では、吸湿性液体供給部６１は、複数のノズルを有し、吸湿性液体Ｌを充填材６２に向けて噴射する。なお、吸湿性液体供給部６１は必ずしもノズルを有する必要はなく、例えば、第１の吸湿液管路５０に液体を滴下する複数の孔を形成した構成であってもよい。
【００３８】
また、排気利用再生部６０は、吸湿性液体供給部６１によって吸湿性液体Ｌが供給される側（この場合は下側）に配置された充填材６２と、吸湿性液体供給部６１から供給された吸湿性液体Ｌを入れる液槽６３とを有する。充填材６２は、例えば、銅製、アルミ製あるいはステンレス製の伝熱性フィンによって構成される。液槽６３には、再生機３０側に延びる第１の吸湿液管路５０が接続されている。液槽６３内の吸湿性液体Ｌは、第１の吸湿液管路５０を通じて再生機３０に送られる。
【００３９】
液槽６３に接続された第１の吸湿液管路５０には、第１の吸湿液管路５０を流れる吸湿性液体Ｌの一部を吸湿性液体供給部６１に供給するための吸上げ管６４を備えている。吸上げ管６４には、ポンプ６５が取り付けられており、第１の吸湿液管路５０から吸湿性液体Ｌを吸い上げる。吸上げ管６４は、三方バルブ６６を介して第１の吸湿液管路５０に取り付けられている。三方バルブ６６によって、再生機３０に向かう液量と吸湿性液体供給部６１に向かう液量とを調整できる構成となっている。なお、本実施の形態では、第１の吸湿液管路５０から吸湿性液体Ｌを吸い上げる構成を例として説明しているが、液槽６３から吸湿性液体Ｌを吸い上げて吸湿性液体供給部６１に供給してもよい。
【００４０】
次に、本実施の形態の調湿装置１の動作について説明する。本実施の形態の調湿装置１は、処理機１０が調湿空間の空気を取り込み、取り込んだ空気を吸湿性液体Ｌに通すことにより、空気と吸湿性液体Ｌとの間で水分の授受を行なって、空気の湿度を調整する。処理機１０において湿度調整に用いられた吸湿性液体Ｌは再生機３０に送られ、再生機３０にて元の溶液濃度に再生される。本実施の形態では、処理機１０から再生機３０に送られる第１の吸湿液管路５０上に設けられた排気利用再生部６０にて、吸湿性液体Ｌの再生を補助的に行う。
【００４１】
図４（ａ）は、除湿運転時における吸湿性液体Ｌの再生処理を説明するための図である。なお、図４（ａ）は、図３のＩＶ−ＩＶ断面図である。図４（ａ）では、調湿空間から外部へ排出される空気を示している。
【００４２】
図４（ａ）に示すように、除湿運転においては、吸湿性液体Ｌは空気中から水分を吸収するので、処理機１０による調湿処理に用いられた吸湿性液体Ｌは希釈溶液となる。この希釈溶液が吸湿性液体供給部６１から充填材６２に供給される。また、調湿空間から排出される空気は、除湿処理された乾燥空気である。従って、充填材６２に留まっている吸湿性液体Ｌの希釈溶液と乾燥空気とが接触することにより、吸湿性液体Ｌに含まれた水分は脱離して空気中に逃げる。これにより、排気利用再生部６０は排気を利用して吸湿性液体Ｌの再生を行うことができる。
【００４３】
また、処理機１０にて除湿処理に用いられた吸湿性液体Ｌは冷却されて温度が低下している。本実施の形態では、充填材６２として伝熱性フィンを用いているので、充填材６２に留まっている吸湿性液体Ｌと空気との間で熱交換が行なわれ、吸湿性液体Ｌの温度が上昇する。また、除湿運転を行うのは湿気の多い夏季であることが多いが、この場合、充填材６２は外気の温度の影響により温度が高くなる。これにより、充填材６２を通じて、吸湿性液体Ｌに外気の熱が伝えられて吸湿性液体Ｌの温度が上昇し、吸湿性液体Ｌ中の水分はより脱離し易くなるので、吸湿性液体Ｌを効率良く再生することができる。また、排気利用再生部６０にて吸湿性液体Ｌの温度を上昇させておくことにより、再生機３０での吸湿性液体Ｌの加熱に必要なエネルギーを低減できる。
【００４４】
図４（ｂ）は、加湿運転時における吸湿性液体Ｌの再生処理を説明するための図である。図４（ｂ）に示すように、加湿運転においては、吸湿性液体Ｌ中の水分を空気中に放出するので、処理機１０による調湿処理に用いられた吸湿性液体Ｌは濃縮溶液となる。この濃縮溶液が吸湿性液体供給部６１から充填材６２に供給される。また、調湿空間から排出される空気は、加湿処理された湿潤空気である。従って、充填材６２に留まっている吸湿性液体Ｌの濃縮溶液と湿潤空気とが接触することにより、吸湿性液体Ｌが空気中から水分を吸収する。これにより、排気利用再生部６０は排気を利用して吸湿性液体Ｌの再生を行うことができる。
【００４５】
また、処理機１０による加湿処理に用いられた吸湿性液体Ｌは加熱されて温度が上昇している。本実施の形態では、充填材６２として伝熱製フィンを用いているので、充填材６２に留まっている吸湿性液体Ｌと空気との間で熱交換が行なわれ、吸湿性液体Ｌの温度が低下する。また、加湿運転を行うのは空気が乾燥している冬季であることが多いが、この場合、充填材６２は外気の温度の影響により温度が低くなる。これにより、充填材６２を通じて、吸湿性液体Ｌに外気の熱が伝えられて吸湿性液体Ｌの温度が低下し、吸湿性液体Ｌは水分を吸収し易くなるので、吸湿性液体Ｌを効率良く再生することができる。また、排気利用再生部６０にて吸湿性液体Ｌの温度を低下させておくことにより、再生機３０での吸湿性液体Ｌの冷却に必要なエネルギーを低減できる。以上、本実施の形態の調湿装置１の構成および動作について説明した。
【００４６】
本実施の形態の調湿装置１は、処理機１０にて調湿処理に用いた吸湿性液体Ｌを再生機３０に送る第１の吸湿液管路５０を、換気口７０を経由するように配設すると共に、換気口７０に設けた排気利用再生部６０にて調湿空間からの排気を利用して吸湿性液体Ｌの再生を補助的に行う。これにより、再生機３０が行う吸湿性液体Ｌの再生処理の一部を排気利用再生部６０が担うことになるので、再生機３０の処理負担が軽減される。従って、再生機３０での再生処理に必要なエネルギーを低減できる。
【００４７】
また、本実施の形態の調湿装置１は、充填材６２を通して空気を排出するので、排気中の塵埃・臭気等も吸湿性液体Ｌによって洗浄し、清浄空気を排出できるという効果がある。従って、本実施の形態の排気利用再生部６０を、トイレ、調理室などに好適に適用することができる。なお、塵埃・臭気等を吸収した吸湿性液体Ｌは、再生機３０に浄化する構成を設けることにより、一括して浄化することができる。
【００４８】
以上、本発明の調湿装置について、実施の形態を挙げて詳細に説明したが、本発明は上記した実施の形態に限定されるものではない。
【００４９】
上記した実施の形態では、調湿装置１は、処理機１０の熱源２１と再生機３０の熱源２２として、ヒートポンプ２０を用いる例について説明したが、本発明の調湿装置は、吸湿性液体Ｌを利用した調湿装置であればよく、必ずしもヒートポンプ２０を用いる必要はない。
【００５０】
図５は、本発明を適用可能な調湿装置の別の例を示す図である。図５に示す調湿装置２の基本的な構成は、上記した実施の形態の調湿装置１と同じであるが、処理機１０と再生機３０とが別々の熱源７２，７３を有している点が異なる。処理機１０および再生機３０の熱源７２，７３には、例えば、冷水や温水を供給することにより、吸湿性液体Ｌと熱交換を行う構成を採用することができる。
【００５１】
上記した実施の形態では、排気利用再生部６０として、吸湿性液体供給部６１と、伝熱性材料からなる充填材６２と、液槽６３と、吸上げ管６４とを備える例を挙げたが、排気利用再生部６０は、吸湿性液体Ｌと排出空気との間で水分の授受を行なえる構成であればよく、必ずしも、上記した構成に限定されない。例えば、上記した構成において、充填材６２は必ずしも伝熱性材料でなくてもよいし、吸上げ管６４はなくてもよい。
【００５２】
また、排気利用再生部６０は、上記した排気利用再生部６０と異なる構成としてもよい。例えば、液槽６３内の吸湿性液体Ｌを攪拌し、その液面に排出空気を吹き付ける構成とすることもできるし、あるいは、液槽６３に入った吸湿性液体Ｌ内に排出空気を直接供給する構成としてもよい。
【産業上の利用可能性】
【００５３】
以上説明したとおり、本発明は、調湿空間からの排出される空気を利用して吸湿性液体を再生することにより、再生機での再生処理に必要なエネルギー量を低減できるという効果を有し、吸湿性液体を用いて調湿を行う調湿装置として有用である。
【図面の簡単な説明】
【００５４】
【図１】実施の形態の調湿装置の構成を示す図である。
【図２】実施の形態の調湿装置の吸湿液管路を示す図である。
【図３】排気利用再生部の構成を示す図である。
【図４】（ａ）除湿運転時における排気利用再生部の動作を示す図である。（ｂ）加湿運転時における排気利用再生部の動作を示す図である。
【図５】変形例に係る調湿装置の構成を示す図である。
【符号の説明】
【００５５】
１  調湿装置
１０  処理機
１１  空気処理部
１２  ノズル
１３  充填材
１４  液槽
１５  管
１６  ポンプ
１７  三方バルブ
２０  ヒートポンプ
２１  第１の熱交換器
２２  第２の熱交換器
２３  圧縮機
２４  膨張弁
２５  冷媒管
３０  再生機
３１  第１の再生処理部
３２ａ、３２ｂ  ノズル
３３  充填材
３４  第２の再生処理部
３５  ノズル
３６  充填材
３７  液槽
３８  第１の槽
３９  第２の槽
４０  仕切り
４１  管
４２  管
４３  ポンプ
４４  加熱源
４５  給水管
４６  バルブ
４７  三方バルブ
５０  第１の吸湿液管路
５１  第２の吸湿液管路
５２  ポンプ
５３  バルブ
６０  排気利用再生部
６１  吸湿性液体供給部
６２  充填材
６３  液槽
６４  吸上げ管
６５  ポンプ
６６  三方バルブ
７０  換気口
７１  壁
【要約】
【課題】  エネルギー利用効率を向上した調湿装置を提供する。
【解決手段】  調湿装置は、調湿空間の空気の湿度を調整する調湿装置であって、吸湿性液体Ｌに空気を通すことにより、調湿空間の空気の湿度を調整する処理機と、処理機による処理に用いた吸湿性液体Ｌを再生する再生機と、調湿空間の換気を行うための換気口７０を経由するように配設され、処理機から再生機に吸湿性液体Ｌを送る吸湿液管路５０と、吸湿液管路５０を通じて再生機に向かう吸湿性液体Ｌに、換気口７０を通じて調湿空間から排出される空気を通して、吸湿性液体Ｌの再生を行う排気利用再生部６０とを備える。
【選択図】  図３【図１】
0004374393.tif 000002
【図２】
0004374393.tif 000003
【図３】
0004374393.tif 000004
【図４】
0004374393.tif 000005
【図５】
0004374393.tif 000006